(57)【要約】【課題】  計器ケース側に貼り付ける緩衝部材に工夫を凝らし、緩衝部材が剥がれてしまう現象を抑制することのできる計器装置を提供することを目的とする。【解決手段】  計器ケース１の前面開放側を覆うカバープレート１１周縁部の適所に緩衝部材１５を粘り付けて配設し、この緩衝部材１５を介して前記カバープレート１５の周縁部分をアウターバイザー１２に突き当て配設するようにしてなる計器装置において、前記緩衝部材１５は比較的に肉厚なシート状部材により形成するとともに、柔軟性を持たせるために切り込み部１６を設けてなることを特徴とする計器装置。【選択図】  図２
2007064722.tif 000002
【特許請求の範囲】
【請求項１】
計器ケースの前面開放側を覆うカバープレート周縁部の適所に緩衝部材を粘り付けて配設し、この緩衝部材を介して前記カバープレートの周縁部分をアウターバイザーに突き当て配設するようにしてなる計器装置において、前記緩衝部材は比較的に肉厚なシート状部材により形成するとともに、柔軟性を持たせるために切り込み部を設けてなることを特徴とする計器装置。
【請求項２】
前記緩衝部材の切り込み部として、複数のスリットからなることを特徴とする請求項１に記載の計器装置。
【発明の詳細な説明】
【技術分野】
【０００１】
本発明は、たとえば自動車などに搭載される計器類を運転席側のダッシュボードに取り付ける計器装置に関するものである。
【背景技術】
【０００２】
従来、自動車に装備される計器装置として、速度計，回転計，温度計などの計器類や各種装置の状態を運転者に知らせるための警報装置などが計器ケース内に収納されている。この場合、前記計器類や警報装置などを収納する計器ケースの前面開放側に前記計器類などの上面側から塵埃などが入らないように合成樹脂材料からなる透視可能なカバープレートによって覆って構成している。また計器ケースには車体側に取り付けるためのフレーム部が設けられ、車体側にフレーム部を介して固定用ネジによって計器ケースが固定保持されるように構成している。この際、計器の前面側、すなわちカバープレートの前面側にはダッシュボードのアウターバイザーが突き当て配置されるように設けられ、カバープレートの周りが目隠しされ計器装置の見栄えを良好としている。この際、見栄えは良好となるものの、計器装置のカバープレート側とアウターバイザー側との突き当てによって車体の振動が計器装置に伝わり軋み音や異音が発生することがあるため、本願出願人は計器装置のカバープレートの下側周縁部分では突き当て片にゴム製のキャップを被せて軋み音や異音などの症状が出ないように設けたものを提案している。
【特許文献１】実開昭６０−７６２１７号公報
【発明の開示】
【発明が解決しようとする課題】
【０００３】
ところで、上述した特許文献１などの計器装置においては、下側に位置したカバープレート側とダッシュボードのアウターバイザーとの間においては振動などによって発生しやすい軋み音や異音などを防ぐことができるが、上側に位置したカバープレート側においては突き当て片などを設けるスペースがないために、一般的にゴム製あるいは不織布などの緩衝部材を両面テープなどによって貼り付けて緩衝作用を持たせるように構成している。これによりカバープレート側とダッシュボード側との間に緩衝部材を介在することによって振動などによって起因する軋み音や異音を防ぐことができるようにしているが、緩衝機能を高めるためにゴム製や不織布などのシート状の厚み寸法が厚く設定すると接着テープにて貼り付けた箇所が剥がれてしまうという問題がある。
【０００４】
すなわち、緩衝部材であるゴム製や不織布などの材料自体に弾力性があるために平坦的に貼り付ける場合においては問題はないが、たとえば上端側である上側に位置したカバープレートの角部側（湾曲した箇所）に沿って緩衝部材を貼り付けると時間の経過とともに緩衝部材であるゴム製や不織布などの材料自体に弾力性があるために緩衝部材の厚みを増すように設定すればするほど元に戻ろうとする作用が働きやすくなり、結果として部分的に剥がれてしまいやすいという問題を有している。
【０００５】
そこで本発明は、前述の課題に対して対処するため、計器装置のカバープレート側に貼り付ける緩衝部材に工夫を凝らし、緩衝部材が剥がれてしまう現象を抑制することのできる計器装置を提供することを目的とする。
【課題を解決するための手段】
【０００６】
本発明は、前述した課題を解決するため、請求項１では、計器ケースの前面開放側を覆うカバープレート周縁部の適所に緩衝部材を粘り付けて配設し、この緩衝部材を介して前記カバープレートの周縁部分をアウターバイザーに突き当て配設するようにしてなる計器装置において、前記緩衝部材は比較的に肉厚なシート状部材により形成するとともに、柔軟性を持たせるために切り込み部を設けてなることを特徴とする計器装置である。
【０００７】
また請求項２では、請求項１に記載の計器装置において、前記緩衝部材の切り込み部として、複数のスリットからなることを特徴とするものである。
【発明の効果】
【０００８】
本発明では、計器ケースの前面開放側を覆うカバープレート周縁部の適所に緩衝部材を粘り付けて配設し、この緩衝部材を介して前記カバープレートの周縁部分をアウターバイザーに突き当て配設するようにしてなる計器装置において、前記緩衝部材は比較的に肉厚なシート状部材により形成するともに、柔軟性を持たせるために切り込み部を設けてなることを特徴とする計器装置であるため、折り曲げて貼り付けたとしても切り込み部によって元に戻ろうとする作用を分断することができ、これにより折り曲げて貼り付けられた状態にて接着力が維持されて剥がされるという現象が抑えられ良好なる緩衝効果を保つことができるものであり、これにより初期の目的を達成することができる。
【発明を実施するための最良の形態】
【０００９】
本発明の請求項１では、計器ケースの前面開放側を覆うカバープレート周縁部の適所に緩衝部材を粘り付けて配設し、この緩衝部材を介して前記カバープレートの周縁部分をアウターバイザーに突き当て配設するようにしてなる計器装置において、前記緩衝部材は比較的に肉厚なシート状部材により形成するとともに、柔軟性を持たせるために切り込み部を設けてなることを特徴とする計器装置である。このように構成することによって、角部や湾曲した箇所に緩衝部材を貼り付けたとしても、その形状に倣って貼り付けられ切り込み部によって元に戻ろうとする応力を分断することができ、折り曲げられた状態を維持し良好なる計器装置の緩衝効果を持続することができる。
【００１０】
また、請求項１に記載の計器装置において、前記緩衝部材の切り込み部として、複数のスリットからなることにより、凹凸形状に倣って貼り付けやすくなるとともに、複数のスリットによって元に戻ろうとする応力を細かく分断することができ、これにより接着力が維持されて剥がされるという現象を極力抑えることができる。（請求項２）
【００１１】
以下、添付図面に基づいて、本発明の計器装置を車輌用の指示計器に適用した実施例として説明する。
【実施例１】
【００１２】
本発明の第１実施例を図１から図４に示す。この種の計器装置として、図１に示すように中央に速度計からなる指示計器と、右側に回転計からなる指示計器と、左側に燃料計や温度計からなる指示計器と、走行距離表示器やギヤポジション表示器や各種検出表示器などが配置され、それぞれが計器ケース１内に収容されている。
【００１３】
この場合、図１の中央に位置した速度計からなる指示計器にあっては、図２に示すように、計器ケース１内に指示計器の計器本体２が収納されており、この計器本体２に設けられた指針軸３の先端側に、指針軸３を軸芯として回転する指針４が圧入固定されている。この実施例における指針構造としては、透明な合成樹脂たとえばアクリル樹脂にて形成された発光指針４を用いている。
【００１４】
また前記指針４の背後側には、目盛や数字や記号などからなる指標部が施された表示板５が配設されている。また前記表示板５の背面側に位置して硬質の回路基板６が設けられ、この回路基板６と前記表示板５との間に合成樹脂製からなる計器ケース１の一部を形成するライトケース７が配設されている。また前記回路基板６上には、前記ライトケース７内に臨んで前記表示板５の目盛部と数字などを透過照明するための光源（発光ダイオード８）と、前記指針４を発光照明するための指針用光源（発光ダイオード９）とが実装されている。なお、前記回路基板６の背後側には前記指針軸３を回動する前記計器本体２が取付固定されている。
【００１５】
また、前記表示板５の前面側には表示板５の周りを目隠ししつつ周囲を囲む計器ケースの一部を構成する計器フード１０が配設され、この計器フード１０の前面開放側には前記指示計器類などの上面側から塵埃などが入らないように合成樹脂材料からなる透視可能なカバープレート１１によって覆って構成している。
【００１６】
また計器装置のカバープレート１１の前方外周部分には、車両のダッシュボードなどのアウターバイザー１２が設けられている。このアウターバイザー１２によって、カバープレート１１の外周部分が目隠しされるものであり、計器装置の見栄えも良好となるように構成されている。
【００１７】
また、第１実施例にあっては、カバープレート１１の下側周縁部分では、本願出願人が先に提案した従来構造からなる緩衝機構を設けている。すなわち、カバープレート１１の下側周縁部分には突き当て片１３を一体に設け、この突き当て片１３にゴム製のキャップ１４を被せて軋み音や異音などの症状が出ないように設けている。
【００１８】
また、第１実施例に合っては、カバープレート１１の上側周縁部分の中央部に位置した角部箇所には、緩衝部材１５である比較的に肉厚寸法からなる不織布が粘着剤たとえば両面テープや糊などを介して貼り付けられている。この場合、シート状の緩衝部材１５である不織布には所定の間隔にて裏側まで貫いて切り込み形成されたスリット１６が縦列状態にして複数設けられるとともに、この第１実施例では各スリット１６を３列に併設状態に設けて構成している。
【００１９】
上記構成からなる第１実施例における計器装置においては、カバープレート１１の前面側にダッシュボードのアウターバイザー１２を隙間なく配設するように、カバープレート１１の前面側外周部分とダッシュボードのアウターバイザー１２とを突き当て配置した際に、ゴム製のキャップ１４と緩衝部材１５を介してそれぞれを突き当て配置することによって良好なる緩衝効果を保つことができるものであり、またカバープレート１１の上側周縁部分の中央部に位置した角部の湾曲形状に沿って比較的肉厚寸法からなる緩衝部材１５である不織布を貼り付けたとしても、その形状に倣って貼り付けられた状態が持続される。すなわち、緩衝部材１５に設けたスリット１６からなる切り込み部によって元に戻ろうとする応力を分断することができ、これにより折り曲げられた状態を維持し良好なる計器装置の緩衝効果を持続することができ、これにより従来問題となっていた振動などによって発生しやすい軋み音や異音などを未然に防ぐことができるという効果がある。
【実施例２】
【００２０】
図５から図８は、本発明の第２実施例を示すもので、図５は計器装置の正面図、図６は計器装置を示す断面図、図７は図６の要部の拡大断面図であり、図８は第２実施例の緩衝部材を示す正面図と斜視図である。この場合、計器装置のカバープレート１１の前面側の周縁部分の適所、すなわち、この実施例では、カバープレート１１の前方外周部分である上側周縁部分と下側周縁部分とにそれぞれ２個づつ緩衝部材１５である比較的に肉厚寸法からなる不職布が両面テープを介して貼り付けられており、ダッシュボードのアウターバイザー１２と突き当て配置される位置関係に設けられている。
【００２１】
この第２実施例にあっては、緩衝部材１５である不織布には所定の間隔にて細長い長孔状のスリット１６Ａが縦列状態にして複数形成されるとともに、この第２実施例では各スリット１６Ａを３列に併設状態に設けて構成しており、貼り付けられる対象物であるカバープレート１１の形状に倣って貼り付けやすく、しかも剥がれにくくなるように前記細長い長孔状のスリット１６Ａによって元に戻ろうとする応力を細かく分断することができるように設けられている。
【００２２】
このように構成することにより、前述した第１実施例とほぼ同様にして、カバープレート１１の前面側にダッシュボードのアウターバイザー１２を隙間なく配設するように、カバープレート１１の前面側外周部分とダッシュボードのアウターバイザー１２とを突き当て配置した際に、それぞれの緩衝部材１５を介して突き当て配置することによって、良好なる緩衝効果を保つことができるものである。この際、カバープレート１１の周縁部分の適所に、その周縁部分に位置した角部の湾曲形状に沿って緩衝部材１５である不織布を貼り付けた時に、その形状に倣って貼り付けられた状態が持続される。
【００２３】
すなわち、シート状からなる緩衝部材１５の折り曲げられた箇所に働く元に戻ろうとする自己弾性による応力を、緩衝部材１５に設けた長孔状のスリット１６Ａからなる切り込み部によって分断することができるため、緩衝部材１５を比較的に肉厚に設定していたとしても、折り曲げられた状態の形状に倣って貼り付けられた状態を持続することができるものであり、振動などによって発生しやすい軋み音や異音などを未然に防ぎながら良好なる緩衝効果を保つことができる。
【００２４】
また各実施例においては、一枚のシート材からなる緩衝部材１５にスリット１６、長孔状のスリット１６Ａを設けることによって柔軟性を持たせることができるため、貼り付けられる対象物である形状に倣って幾つもの緩衝材を個々に貼り付ける必要もないため、接着作業性をも簡便に行うことができるという効果もある。
【００２５】
なお本発明は、前述した実施例に限定されるものではなく本発明の要旨の範囲内において種々の変形実施が可能である。たとえば、緩衝部材１５の材料として実施例においては不職布を用いていたが、ゴム製や比較的やわらかい発泡プラスチックなどを用いてもよいものであり、また緩衝部材１５に設ける切り込み部として実施例ではスリット１６，長孔状のスリット１６Ａを形成していたが、緩衝部材に設ける切り込み部の実施態様例として、図９（Ａ）に示すように、緩衝部材１５の厚み方向に対して浅い切れ込みからなる横列方向に設けたスリット１６Ｂや、図９（Ｂ）に示すように、格子状に設けた浅い切れ込みからなるスリット１６Ｃを設けることによっても、同様の効果を得ることができるものである。この際、格子状に設けた浅い切れ込みからなるスリット１６Ｃにおいては、縦横にスリット１６Ｃが設けられるため、前後左右の細かい凹凸に倣って貼り付けることが可能となるため有用である。
【００２６】
また前記浅い切れ込みからなるスリット１６Ｂ，１６Ｃと各実施例で示した貫通状態に施した切り込み部からなるスリット１６や長孔状のスリット１６Ａとの組み合わせによるスリット部（切り込み部）を形成してシート状の緩衝部材を折り曲げやすくすうように構成してもよいものである。
【００２７】
なお、計器装置のカバープレートの周縁部分に貼り付ける緩衝部材１５の取り付け位置や数などは、計器装置の形状や大きさなどに合わせて配置すればよいものである。
【産業上の利用可能性】
【００２８】
また、前述した実施例などにおいて詳述したように、車両用の指示計器を例にして計器装置を説明したが、車両用計器に限らず船舶用計器あるいは農業機械の計器などにおいても適用することが可能である。
【図面の簡単な説明】
【００２９】
【図１】図１は、本発明の第１実施例における計器装置を示す正面図である。
【図２】図２は、図１の計器装置を示す断面図である。
【図３】図３は、図２の計器装置の要部を示す拡大断面図である。
【図４】図４（Ａ）（Ｂ）は、第１実施例に適用される緩衝部材の正面図と斜視図である。
【図５】図５は、本発明の第２実施例を示す計器装置の正面図である。
【図６】図６は、図５の計器装置を示す断面図である。
【図７】図７は、図６の計器装置の要部を示す拡大断面図である。
【図８】図８（Ａ）（Ｂ）は、第２実施例に適用される緩衝部材の正面図と一部を断面で表した斜視図である。
【図９】図９（Ａ）（Ｂ）は、それぞれ異なる緩衝部材の実施態様例を示す斜視図である。
【符号の説明】
【００３０】
１      計器ケース
２      計器本体
３      指針軸
４      指針
５      表示板
６      回路基板
７      ライトケース
８      光源（発光ダイオード）
９      指針用光源（発光ダイオード）
１０      計器フード
１１      カバープレート
１２      アウターバイザー
１３      付き当て片
１４      ゴム製のキャップ（緩衝部材）
１５      緩衝部材（不織布）
１６      スリット（切り込み部）
１６Ａ    長孔状のスリット（切り込み部）
【図１】
2007064722.tif 000003
【図２】
2007064722.tif 000004
【図３】
2007064722.tif 000005
【図４】
2007064722.tif 000006
【図５】
2007064722.tif 000007
【図６】
2007064722.tif 000008
【図７】
2007064722.tif 000009
【図８】
2007064722.tif 000010
【図９】
2007064722.tif 000011